Podtech/llm-jp-corpus-v4-ja_patent huggingface dataset:
(57)【要約】　　　（修正有）【課題】電源を要する動力ポンプに代わって、電源を使わない手動ポンプを配し、培養液を適度に動かすようにした水耕栽培装置を提供する。【解決手段】培養液１を収容する栽培槽２と、該栽培槽の上方開口側に配され、栽培対象となる植物３を固定するためのパネル４と、栽培槽に収容される培養液を吸い込み口から吸い上げ、吐出口から吐出して栽培槽内に戻すための手動ポンプ５とを備えてなることを特徴とする。【選択図】　図１
0003100104.tif 000002
【実用新案登録請求の範囲】
【請求項１】
　培養液を収容する栽培槽と、該栽培槽の上方開口側に配され、栽培対象となる植物を固定するためのパネルと、栽培槽に収容される培養液を吸い込み口から吸い上げ、吐出口から吐出して栽培槽内に戻すための手動ポンプとを備えてなることを特徴とする水耕栽培装置。
【請求項２】
　前記手動ポンプの吐出口は、栽培槽に収容された培養液の液面の上方位置に配される請求項１記載の水耕栽培装置。
【請求項３】
　前記手動ポンプの吸い込み口と吐出口とは、栽培槽の対角位置に配される請求項１又は２記載の水耕栽培装置。
【考案の詳細な説明】
【技術分野】
【０００１】　本考案は、水耕栽培装置に関する。
【背景技術】
【０００２】　水耕栽培においては、何らかの方法で培養液に動きを与えるか空気を混和するなどの処置が必要である。従来から多くの場合、循環ポンプやエアポンプなどで行われている。
【考案の開示】
【考案が解決しようとする課題】
【０００３】　しかしながら、特に生産効率を追求することを第一義としない家庭用の水耕栽培装置ということで考えるとき、ポンプを有することで、設置場所が電源を得る便利のために制約されてしまうことになる。【０００４】　また、家庭用のごく小さな装置の場合、市販のポンプでは能力的に過大に過ぎることが多い。費用の点からみても、装置価格の大部分をポンプが占めるという状況が多く見られる。【０００５】　そこで、本考案は、電源を要する動力ポンプに代わって、電源を使わない手動ポンプを配し、培養液を適度に動かすようにした水耕栽培装置を提供することを課題とする。
【課題を解決するための手段】
【０００６】　上記課題を解決すべく、本考案に係る水耕栽培装置は、培養液を収容する栽培槽と、該栽培槽の上方開口側に配され、栽培対象となる植物を固定するためのパネルと、栽培槽に収容される培養液を吸い込み口から吸い上げ、吐出口から吐出して栽培槽内に戻すための手動ポンプとを備えてなることを特徴とする。【０００７】　上記構成からなる水耕栽培装置によれば、手動ポンプを配して、これを定期的に汲むことで電源を用いることなく、培養液を適度に循環させることができる。そして、循環に際して、電源を必要としないので、設置する場所を電源を得る便利によって制約されることがなく、適正な能力で循環させることができる。また、微細なことではあるが、電気代の節約にもつながり、且つ従来価格の大半を占めていたポンプを省くことで大幅に低価格化することができる。【０００８】　さらに、水耕栽培装置では、植物が人間の言葉や呼びかけに敏感に反応する傾向が土耕栽培より顕著にみられるが、手動ポンプを一日一〜二回汲むことを通じて、人が植物の栽培環境を直接維持することで愛情がより積極的に植物に伝わり、その結果生育にもよい影響をもたらすことが考えられる。【０００９】　また、本考案に係る水耕栽培装置は、請求項２記載の如く、前記手動ポンプの吐出口は、栽培槽に収容された培養液の液面の上方位置に配される構成を採用することができる。かかる構成からなる水耕栽培装置によれば、吐出された培養液が栽培槽に収容された培養液中に落下する際、培養液中に空気が混和される。【００１０】　また、本考案に係る水耕栽培装置は、請求項３記載の如く、前記手動ポンプの吸い込み口と吐出口とは、栽培槽の対角位置に配される構成を採用することができる。かかる構成からなる水耕栽培装置によれば、培養液の循環が効果的に行われる。
【考案を実施するための最良の形態】
【００１１】　本実施形態に係る水耕栽培装置は、図１を参照して、培養液１を収容する栽培槽２と、該栽培槽２の上方開口側に配され、栽培対象となる植物３を固定するためのパネル４と、栽培槽２に収容される培養液１を吸い上げ、吐出して栽培槽２内に戻すための手動ポンプ５とを備える。【００１２】　植物３は、栽培槽２に溜めた培養液１から水分、養分を摂取すべく、その根がパネル４の下方に延びる格好で該パネル４に固定される。そのため、パネル４には、一つ又は複数の穴４ａが形成されている。【００１３】　また、パネル４は、例えば栽培槽２の上方開口に嵌め込んで、培養液１の液面から離した格好で栽培槽２の上方開口側に配されるか、培養液１に浮かした格好で配されることで、培養液１へのゴミ等の落下を防止することもできる。【００１４】　手動ポンプ５は、ポンプ部５ａと、一端が吸い込み口５ｂとなり、他端が吐出口５ｃとなる導水管５ｄとで構成され、吸い込み口５ｂが栽培槽２の一隅に配され、叶出口５ｃが栽培槽２の他の一隅に配される。【００１５】　本実施形態に係る水耕栽培装置は、以上の構成からなり、手動ポンプ５のポンプ部５ａを押すと、培養液１が吸い込み口５ｂから導水管５ｄ内に吸い込まれ、該導水管５ｄを経て吐出口５ｃから吐出される。吐出口５ｃは、培養液１の液面から離れた上方位置に配されており、従って、吐出口５ｃから吐出されて落下する際に空気が混和される。【００１６】　尚、本考案は、上記実施形態に限定されるものではなく、本考案の要旨を逸脱しない範囲で種々の変更が可能である。
【図面の簡単な説明】
【００１７】
【図１】　本実施形態に係る水耕栽培装置の側面図を示す。
【符号の説明】
【００１８】　１　培養液
　２　栽培槽
　３　植物
　４　パネル
　４ａ　穴
　５　手動ポンプ
　５ａ　ポンプ部
　５ｂ　吸い込み口
　５ｃ　吐出口
　５ｄ　導水管
【図１】
0003100104.tif 000003
(57)【要約】
【課題】　本考案は、四大悪臭を吸収・分解する機能を有した不織布製の内袋を内蔵したバッグに、回収したペットの排泄物を収納することで、不快な悪臭を軽減させる。
【解決手段】　本考案は、排泄物が発するアンモニア臭を含む四大悪臭を吸収・分解する、脱着可能な不織布製の内袋を内蔵した、容易に開閉でき、密封できる、撥水生地を使用した紐付の蓋を有したバッグに、ペットの排泄物を収納することにより、不快な悪臭を軽減させる。
【選択図】　図２
0003100107.tif 000002
【実用新案登録請求の範囲】
【請求項１】
　表地に、機密性が高く、水を通さない撥水生地を使用し、密閉可能な紐付の蓋を設けたバッグの中に、脱着・取替え可能な、四大悪臭を吸収・分解する機能を有する不織布製の内袋を設置することによって、外部に漏れる内容物の悪臭を軽減することを特徴とする、ペットの排泄物を収納する散歩用バッグ。
【考案の詳細な説明】
【技術分野】
【０００１】
　本考案は、撥水生地を使用したバッグに、脱着・取替え可能な四大悪臭を吸収・分解する機能を有した不織布製の袋を、脱着可能な様式で内蔵することにより、ペットの排泄物の悪臭を軽減する、ペットの排泄物を収納する散歩用バッグに関するものである。
【背景技術】
【０００２】
　散歩中の犬などのペットの排泄物は、飼い主が回収してビニール袋等に入れ、持ち帰っていた為、悪臭が酷かった。
【考案の開示】
【考案が解決しようとする課題】
【０００３】
　散歩中に回収した犬などのペットの排泄物は、ビニール袋等に入れて密封しても、悪臭が漏れ、飼い主にも周囲の人間にも不快感を与える。また、自家用車や電車等公共交通機関で犬を移動させる際は特に、気遣いが必要である。従って、四大悪臭を吸収・分解する機能を有した不織布製の内袋を内蔵したバッグに、回収したペットの排泄物を収納し、悪臭を軽減させることで、前述の問題点を解決しようとするものである。
【課題を解決するための手段】
【０００４】
　本考案は、排泄物が発するアンモニア臭を含む四大悪臭を吸収・分解する不織布製の内袋を、容易に開閉でき、密封できる、紐付の蓋を有したバッグの中に内蔵することにより、問題点を解決しようとするものである。外側のバッグの表地に撥水生地を使用することで機密性が高まると共に、雨天の散歩においても内蔵の不織布製内袋の吸収・分解機能を損なわず、内蔵の不織布製の内袋を脱着可能とすることで、外側のバッグは洗濯可能、不織布製の内袋は取替え可能とし、効果をより高め、持続させる。
【考案の効果】
【０００５】
　上述の様に、本考案のペットの散歩用排泄物収納バッグは、機密性の高い、撥水生地を使用したバッグに、脱着・取替え可能な四大悪臭を吸収する不織布製内袋を設置することによって、外部に漏れる内容物の悪臭の大幅な軽減を可能としたので、飼い主の不快感の排除・マナー向上に役立つ。
【考案を実施するための最良の形態】
【０００６】
　外側のバッグの中に不織布製内袋を内蔵する形態の二重構造とする。外側のバッグの表地には撥水生地を使用、上部蓋部分は、紐で絞り、コードストッパーで固定することにより、密封状態を可能とする。四大悪臭を吸収・分解する機能を有した不織布製内袋は、外側のバッグに取り付けたマジックテープでの装着とすることにより、容易に脱着でき、取替え可能とする。
【図面の簡単な説明】
【０００７】
【図１】本考案のペットの散歩用排泄物収納バッグの正面図である。
【図２】本バッグの上部蓋を開けた状態での内部構造図である。
【図３】本バッグの不織布製内袋の構造図である。
【図１】
0003100107.tif 000003
【図２】
0003100107.tif 000004
【図３】
0003100107.tif 000005
(57)【要約】　　　（修正有）【課題】生成されるオゾン水中の気泡をよりミクロ単位にすると共に構造を小型化する。【解決手段】水道水１を電磁弁３を通じて水中にオゾンを溶解させるエジェクター７と静止ミキサーの一体成形と、触媒フィルターを持つオゾンを発生するオゾン発生器５とオゾン発生量が１時間当たり５０mg/hから１００mg/hの強弱ができる高圧電源９を持つオゾン発生部のユニット化の合体からなることを特徴とする自動感知センサー付気泡を含むオゾン水生成装置。【選択図】図１
0003100194.tif 000002
【実用新案登録請求の範囲】
【請求項１】
水道水を電磁弁を通じて水中にオゾンを溶解させるエジェクターと静止ミキサーの一体成形と、触媒フィルターを持つオゾンを発生するオゾン発生器とオゾン発生量が１時間当たり５０ｍｇ／ｈから１００ｍｇ／ｈの強弱ができる高圧電源を持つオゾン発生部のユニット化の合体からなることを特徴とする自動感知センサー付気泡を含むオゾン水生成装置。
【考案の詳細な説明】
【考案の詳細な説明】
【産業上の利用分野】
【０００１】本考案は、トイレの用足し後、オゾン水を用いて脱臭・殺菌洗浄等に、自動感知センサーを設けた、小型オゾン水生成装置に関するものである。
【背景技術】
【０００２】用足し後に約５リッター程度の水が洗い流されるのみで長い間には便器に尿石が付着し、変色・臭気等がいずれは悪臭を放つことになる。【０００３】朝晩２回の水道水の掃除と昼間は用足しした後、水道水のみの流水では殺菌・脱臭効果は特に夏場においては、効果も薄く悪臭を放つことになる。【０００４】不特定多数の人が出入りする建物、鉄道駅・病院・ホテル・レストラン・競技場・劇場・コンサートホール等のトイレ、更には排水管等の脱臭・殺菌を含めてオゾン水での洗浄が効果的と考えられる。【０００５】そこで、オゾン水を使用してトイレを清掃すると、水洗浄とオゾン水使用との違いがハッキリと判明、瞬時に便器からの悪臭と空間のアンモニア臭を脱臭します。
これは、オゾンが持つ酸化力により、殺菌及び脱臭効果が塩素の数倍と効果を上げている。
（考案が解決しようとする課題）【０００６】従来の水洗装置においては、多量の水道水を使用するも便器の尿石の付着、変色及び悪臭に対し効果があまりない。【０００７】そこで従来の水洗浄による、水道使用量の半分強で、便器から出る悪臭を除去し、殺菌・脱色された清潔な状態にできる装置を提供することを目的とするものである。
（考案がを解決しようとする手段）【０００８】上記目的達成するために、従来の水道量の半分強で、供給っされる水中にオゾンを溶解させるエジェクターとオゾン溶解率を高める、静止ミキサーを一体型にし、触媒フイルター合体の強弱可変のボリュウム付の高圧電源のユニット化からなる感知センサー付気泡を含むオゾン水生成装置であることを特徴とする。
【作用】
【０００９】オゾン発生手段とオゾンを溶解させるエジェクターと、よりオゾン溶解を高める静止ミキサーを経て、微細気泡を持つオゾン水生成装置である。
【００１０】本来、オゾン気泡は、分離タンクを設け排オゾン処理をする必要があるが、低濃度のオゾン発生量にて、殺菌・脱臭・脱色する場合、排オゾンも一緒に利用する事により、一層の効果が上がる。
【００１１】しかし、その際人体に影響のないように、オゾン濃度ボリュームで調整できるようにする。
【００１２】本来なら、一番大きい、分離タンク並びに気液分離のエアーベント、それに、配管類を省いたので小型、軽量化、並びに簡素にコンパクトにまとまる事ができた。
【本考案の実施例】
【００１３】第一図に示すように、水道水が水道水入口（１）を通ってエジェクター（７）に入る際に触媒エアーフイルター（６）をもつオゾン発生体（５）より、逆止弁（１１）を通じてオゾンエアーが吸引され更に、静止ミキサー（１０）で混合率を高めて、オゾン水出口に流出される。
【００１４】このように構成された本実施例のオゾン気泡水生成装置においては、用足し後感知センサー（８）により電磁弁（３）が働き、水道水がエジエクター（７）を通過する際、高圧電源（９）の放電によりオゾン発生器（５）の中の空気が通過中に印加され、オゾン化空気としてエジェクター（７）に吸引される。
【００１５】更に、静止ミキサー（１０）により効率よく混合され、気泡を含むオゾン水は、配管を通じて便器に流れ分解されない排オゾンエアーは大気中の悪臭と反応し酸素となって快適な環境になります。
【００１６】本考案の効果の実証を具体的に説明すると、実施例として、オゾン発生量が１時間あたり１００ｍｇの発生量で気温２５度ｃ、湿度が６０％、水量が１回３リットルの条件でオゾン濃度を測定した、その結果、オゾン気泡水濃度０．５ｐｐｍ（床より１０ｃｍ）で１メートル離れた処で計ると０．０５ｐｐｍ以下の測定結果です。
【００１７】尚、磁石（４）は感知センサー（８）付きの蓋（１５）に鉄片（１６）をそれぞれスポット溶接をしてメンテナンス時の取り外しに便利で簡単であるからです。
【考案の効果】
【００１８】以上、本考案によれば、静止ミキサーによる微細気泡状態を作る事により、混合するオゾンが接触面積、及び接触時間が増大して溶解率が高まる効果がある。
【図面の簡単な説明】
【００１９】
【図１】第一図は本考案によるオゾン気泡水生成装置の全体の平面図である。
【図２】オゾン気泡水生成装置の横断面図である。
【符号の説明】
【００２０】　番号　　符号　　　　　　　　　　　　　番号　　　符号
　１　　　水道水　　　　　　　　　　　　１１　　　電磁弁
　２　　　オゾン水出口　　　　　　　　　１２　　　フレキパイプ
　３　　　電磁弁　　　　　　　　　　　　１３　　　シリコンチューブ
　４　　　磁石　　　　　　　　　　　　　１４　　　本体ケース
　５　　　オゾン発生器　　　　　　　　　１５　　　蓋
　６　　　フイルターケース　　　　　　　１６　　　鉄片
　７　　　エジェクター
　８　　　感知センサー
　９　　　高圧電源
１０　　　静止ミキサー
【図１】
0003100194.tif 000003
【図２】
0003100194.tif 000004
(57)【要約】　　　（修正有）【課題】バッグに引掛けて衣類を保持し、不使用時にはバッグに収納できるようにする。【解決手段】衣類１を支持する衣類支持バー２の両端に夫々可撓性の接続部材４を設け、両接続部材にバッグ５の取手６に引掛けるフック７を設けた携帯用ハンガー。【選択図】　　図１
0003100148.tif 000002
【実用新案登録請求の範囲】
【請求項１】
衣類を支持する衣類支持バーの両端に夫々可撓性の接続部材を設け、両接続部材にバッグの取手に引っ掛けるフックを設けたことを特徴とする携帯用ハンガー。
【請求項２】
衣類支持バーを空洞に形成して接続部材を中に通して両端から突出させた請求項１記載の携帯用ハンガー。
【請求項３】
フックの開放部を開閉自在の脱落防止片で閉塞した請求項１記載の携帯用ハンガー。
【考案の詳細な説明】
【技術分野】
【０００１】
　本考案は、バッグに入れて携帯できる携帯用ハンガーに関するものである。
【背景技術】
【０００２】
　夏の暑い日には、男性は上着を脱いで手に持つか、腕に引掛けて持ち運びしているのが現状である。この状態では、手や腕についた汗で上着が皺になるという問題があった。一方、上着を吊すハンガーは市販されているが、その構造は、上着の肩部を引掛ける支持部材の中央にフックを設け、このフックを室内の適当な個所に引掛けて、上着を吊すようになっていた。
【０００３】
　しかし、従来のハンガーは上着を吊すには便利であるが、上着を吊して携帯しようとすると、フックを指に掛けて持ち運びしなくてはならず、携帯には不向きであった。
【特許文献１】見当たらず
【非特許文献１】見当たらず
【考案の開示】
【考案が解決しようとする課題】
【０００４】
　外出している時に、上着を手に持たずに運ぶことができるものは、今だ提案されておらず、簡単に上着を保持することができ、不使用時には邪魔にならないようになるものは存在しなかった。
【課題を解決するための手段】
【０００５】
　ハンガーとしての役目を十分に果し、上着の持ち運びの際にはバッグの取手に引掛け、不使用時にはバッグに収納することができるように携帯用ハンガーを構成して上記課題を解決した。
【０００６】
　解決しようとする問題点は、上着の持ち運びに便利で、且つ簡単にバッグに収納できる様にする点にある。
【０００７】
　本考案は、上着を支持する支持部材をバッグの取手に引掛けて持ち運びし、不使用時にはバッグの中に収納できるような構造にした。　
【実施例】
【０００８】
　図１は、本考案の一実施例の使用状態を示す斜視図で、上着等の衣類１を引掛けて保持する衣類支持バー２を断面円形に形成し、その衣類支持バー２の両端に夫々自在継手３、３（図２参照）を取付け、夫々の自在継手３、３にボールを継いだ可撓性を有するチェーンで形成した接続部材４、４を取付け、両接続部材４、４にバッグ５の取手６に引掛けるフック７、７を取付けている。
【０００９】
　このフック７、７には、図３、４に示すように、開放部１５を開閉できる脱落防止片８を設けている。この脱落防止片８は、開放部１５の接続部材４側の端部を薄くした取付片９を両側から挟むように溝部１０を設けて、ピン１１で自由に擺動できるようになっている。
そして、取付片９と溝部１０との間に板バネ１２を取付けて、脱落防止片８を常時閉塞方向に付勢している。
【００１０】
　又、脱落防止片８の開放端は、底部を斜めにした係止溝部１３を設け、フック７の開放部１５端部に、厚さを薄く、先端を斜めに形成した係止片１４を設け、この係止片１４を係止溝部１３に嵌合して、図４に示すように脱落防止片８を係止して、フック７の開放部１５を閉塞するようになっている。
【００１１】
　この実施例は前記のように構成したもので、図１に示すように、衣類１を衣類支持バー２に引掛け、フック７、７をバッグ５の取手６に引掛ける。この際、脱落防止片８は取手６に当ってフック７は開放され、その後、板バネ１２の付勢力によって脱落防止片８は閉塞方向に移動して開放部１５を閉塞し、ハンガーは脱落しないようになる。そして、不使用時には、接続部材４、４は可撓性を有するので、簡単にバッグ５に収納して持ち運びできる。
【００１２】
　尚、前記実施例においては、衣類支持バー２を円形に形成するように説明したが、円形でなくともよく、筒状に形成して接続部材４、４を筒の中に通して両端から突出させてもよいものである。又、接続部４、４は、リングを継いで形成してもよいもので、材質も各種のものを使用することができ、収納に便利なように可撓性があればよいのである。又、フック７の構造もこの実施例に限定するものではなく、脱落防止片８の開閉構造も、各種のものを使用することができ、脱落防止片８がなくても十分に使用することができるものである。
【００１３】
　以上説明したように、本考案の携帯用ハンガーは、使用時にはバッグの取手にフックを引掛け、衣類支持バー２に衣類を掛ければバッグを持ち運びするだけで、衣類を保持することができる。又、不使用時にはバッグに収納することができ、非常に便利である。
【図面の簡単な説明】
【００１４】
【図１】本考案に係る携帯用ハンガーの使用状態を示す斜視図である。
【図２】同じく、本考案に係る携帯用ハンガーの拡大図である。
【図３】フックの正面図である。
【図４】フックの着脱防止片を開いた状態の斜視図である。
【図５】フックの一部の断面図である。
【符号の説明】
【００１５】
　１　　衣類
　２　　衣類支持バー
　３　　自在継手
　４　　接続部材
　５　　バッグ
　６　　取手
　７　　フック
　８　　脱落防止片
　９　　取付片
　１０　溝部
　１１　ピン
　１２　板バネ
　１３　係止溝部
　１４　係止片
　１５　開放部
【図１】
0003100148.tif 000003
【図２】
0003100148.tif 000004
【図３】
0003100148.tif 000005
【図４】
0003100148.tif 000006
【図５】
0003100148.tif 000007
(57)【要約】
【課題】構造上フィルム交換時において、カメラ本体から底蓋部分を完全に離脱する底蓋着脱式カメラに使用する際、底蓋部分の離脱時においても、カメラ本体と底蓋を使用者の首、手首により安全に保持ができるストラップを提供することが本考案の課題である。
【解決手段】本考案は、底蓋着脱式カメラに対して装着した場合、底蓋着脱式カメラ本体と底蓋が離脱した状態でも、使用者の首、手首により安全保持できるように、ストラップ本体に独立したループ状の首、手首挿入部を構成させることで前記課題を解決する手段とする。
【選択図】「図３」
0003100170.tif 000002
【実用新案登録請求の範囲】
【請求項１】
構造上フィルム交換時に、カメラ本体から底蓋部分を完全に離脱させなければならない底蓋着脱式カメラとの使用において、底蓋が完全に離脱した状態でも、ストラップ独自に形成されたループ構造により、使用者の首あるいは手首により、カメラ本体と離脱した底蓋を、落下等の危険から防ぎ安全に保持できることを特徴とする、一端がカメラ本体に形成されるストラップ取付金具に、他端がカメラ底蓋に連結されるカメラ用携帯具。
【請求項２】
「請求項１」記載のカメラ用携帯具と底蓋着脱式カメラとの使用において、離脱した底蓋とカメラ本体を連結する部位の長さを、使用者の任意により調整することのできる構造を、２つの調整帯の形成により可能にしたことを特徴とするカメラ携帯具。
【考案の詳細な説明】
【技術分野】
【０００１】本考案は底蓋着脱式カメラを安全に使用するためのストラップに関する。
【背景技術】
【０００２】特公昭６０−３８６７３に開示にされているように、カメラに着脱可能なカメラストラップの一端を三脚ネジ部に、他端をカメラ本体に設けられたストラップ取付金具に取り付けることを特徴とするカメラ用携帯具が、先行技術としてある、ところが、前記の考案を、構造上フィルム交換時においてカメラ本体から底蓋部分を完全に離脱させなければならない底蓋着脱式カメラに使用すると、底蓋部分の離脱時に、安全な保持に必要なストラップとカメラにて構成されたループ構造が断たれ、カメラ本体および離脱させた底蓋を落下させる危険を伴うことになる。
【考案の開示】
【考案が解決しようとする課題】
【０００３】したがって、本考案の解決すべき技術的課題は、底蓋開閉式カメラの底蓋部分の離脱時においても、使用者の首、手首により、カメラ本体と離脱された底蓋が安全に保持されるストラップを提供することである。
【課題を解決するための手段】
【０００４】本考案は、底蓋着脱式カメラに対して装着した場合、底蓋着脱式カメラ本体と底蓋が離脱した状態でも、使用者の首、手首により安全保持できるように、ストラップ本体に独立したループ状を構成させることで前記課題を解決する手段とする。
【考案の効果】
【０００５】ストラップ本体に独立したループ状を構成させることにより、底蓋着脱式カメラ本体と底蓋が離脱した状態でも、その構成されたループに挿入された使用者の首、手首により、カメラ本体、底蓋を落下させることなく安全にフィルム交換等の作業を行うことができる。【０００６】またカメラに本考案を装着するときに、部位ａ１６（図１参照）の長さは２つの調整帯により、カメラの大きさに合わせて、自由に調整できるので部位ａ１６で結ばれた、離脱した底蓋とカメラ本体との距離を作業に適当な長さにする事が可能となる。
【考案を実施するための最良の形態】
【０００７】以下に、図１を参照して本考案の組み立て手順を記し、本考案を実施するための最良の形態を説明する。【０００８】図１のとおり、本考案は、ストラップ１１、カメラ取付金具１２、調製帯ａ１３、調整帯ｂ１４、カメラ三脚穴取付ネジ１５、部位ａ１６、　手首、首挿入部１７、ストラップ長さ調整金具１８により構成されている。【０００９】まず、他端にストラップ長さ調整金具１８が係止されたストラップ１１の先端を調整帯ａ１３に通し、次にカメラ取付金具１２に通したあと、再び折り返し調整帯ａ１３に通し、カメラ取付金具１２をストラップ１１に連結させる。【００１０】調整帯ａ１３から出たストラップ１１の先端を、部位ａ１６を構成させるために、使用するカメラの高さに合わせた適当な長さを確保して、調整帯ｂ１４に通し、次にカメラ三脚穴取付ネジ１５に通したあと、再び折り返し調整帯ｂ１４に通し、カメラ三脚取付金具１５をストラップに連結させる。【００１１】調整帯ｂ１４からでたストラップ１１の先端を首、手首挿入部１６を構成させるために、使用者の意図、体格に応じた適当な長さを確保して、ストラップ１１の先端をストラップ他端に係止された１８長さ調製金具に連結する。【００１２】上記の組み立てをもって、本考案の特徴である独立したループ状を構成させることが可能となり、考案を実施するための最良の形態となる。
【実施例】
【００１３】以下に、図２および図３を参照して、本考案の実施例を説明する。【００１４】図２は、本考案を、底蓋開閉式カメラに装着した実施例である。【００１５】図２のように、本考案のストラップ本体は、着脱可能なリング状のカメラ取付金具１２と、カメラ本体の片側面上部にある、ストラップ取付金具２１によってストラップ本体の一端が連結され、カメラ三脚穴取付ネジ１４とカメラ底蓋２０に形成される三脚ネジ穴によってストラップ本体の他端が連結される。【００１６】次に首、手首挿入部１７の大きさをストラップ長さ調整金１８にて、用途に応じて調整し、使用者の首あるいは手首を挿入すればカメラを安全に携帯することができる、ネックストラップあるいはリストストラップとしての利用が可能になる。【００１７】また、本考案の特徴である、ストラップ自体の独立したループ構造の形成により、万が一、使用者が誤って、カメラ取付金具１１あるいはカメラ三脚取付ネジ１４の取り付けを不完全なままストラップとして使用し、そのいずれかがカメラ本体あるいはカメラ底蓋から離脱しても、カメラの落下を防止することが可能である。【００１８】図３は、本考案を、底蓋開閉式カメラに装着し、同カメラの底蓋を離脱させた状況での実施例である。【００１９】図３では、底蓋開閉式カメラが構造上、フィルムの交換時において、完全にカメラ本体から底蓋が離脱された状態でも、ストラップ自体にループ構造が構成されているので、首、手首挿入部１７に挿入された、使用者の首あるいは手首によって、離脱した底蓋だけではなく、カメラ本体も安全に保持されることが可能になる。【００２０】また、長さ調整が可能な部位ａ１６により、離脱された底蓋２０を作業に適当な長さにて保持することが可能となる。
【図面の簡単な説明】
【００２１】
【図１】本考案の正面図である。
【図２】本考案をカメラに装着した実施形態を説明する正面図である。
【図３】本考案をカメラに装着し、カメラ底蓋を外した実施形態を説明する正面図である。
【符号の説明】
【００２２】　１１　ストラップ
　１２　カメラ取付金具
　１３　調製帯ａ
　１４　調整帯ｂ
　１５　カメラ三脚穴取付ネジ
　１６　部位ａ
　１７　手首、首挿入部
　１８　ストラップ長さ調整金具
　１９　カメラ本体
　２０　カメラ底蓋
　２１　ストラップ取付金具（カメラ側）
【図１】
0003100170.tif 000003
【図２】
0003100170.tif 000004
【図３】
0003100170.tif 000005
(57)【要約】
【課題】  小規模の壁面にも容易に実施できてコストが安く、壁面の所望の位置または壁面に設けた凹部に容易に着脱自在に手押し楽器または打楽器を取付け、強弱を加減して、手で押したり叩いたりして、１人または複数人で、簡単な曲を演奏できる、楽器取付け壁面を供給する。
【解決手段】  手で押すか叩くと鳴る楽器２の表面に雌雄何れかの面接着シート８またはテープを取付け、壁面１には、前記楽器２の面接着シート８またはテープの雌雄とは反対の雌雄の面接着シート７またはテープを取付け、楽器２を壁面１に接着し、着脱自在に固定する。
壁面１には凹部を設け、凹部の面に楽器２の面接着シート８またはテープの雌雄とは反対の雌雄の面接着シート７またはテープを取付け、楽器２を凹部に嵌合接着し、着脱自在に固定してもよい。
【選択図】    図１
0003100740.tif 000002
【実用新案登録請求の範囲】
【請求項１】
手で押すか叩くと鳴る楽器の表面に雌雄いずれかの面接着シートまたは面接着テープを取付け、壁面に前記楽器の面接着シートまたは面接着テープの雌雄とは反対の雌雄の面接着シートまたは面接着テープを取付け、前記楽器を前記壁面に接着し、着脱自在に固定した楽器取付け壁面。
【請求項２】
手で押すか叩くと鳴る楽器の表面に雌雄いずれかの面接着シートまたは面接着テープを取付け、壁面に凹部を設け、その凹部の面に前記楽器の面接着シートまたは面接着テープの雌雄とは反対の雌雄の面接着シートまたは面接着テープを取付け、前記楽器を前記壁面の凹部に嵌合接着し、着脱自在に固定した楽器取付け壁面。
【考案の詳細な説明】
【技術分野】
【０００１】
この考案は、押すか叩くと鳴る楽器を着脱自在に取り付けた壁面に関するものである。
【背景技術】
【０００２】
壁面に、太鼓や笛等の絵が描かれており、その絵を押すとセンサーが働いてその絵の楽器の音が鳴る壁面がある。
また、手に持てる大きさの弾性体に空洞を設け、外周側壁との間の貫通孔に筒状の笛を固定し、押すと鳴る楽器がある（特許文献１参照）。
【特許文献１】実用新案登録第３０６８５０５号公報        実用新案登録請求の範囲、図１、２、３
【考案の開示】
【考案が解決しようとする課題】
【０００３】
上記の地下街の設備は、センサーで電子楽器が奏鳴する装置で、相等の広さの場所をとり、かつ、コストがかかるので、家庭や幼稚園等小規模の施設の壁面に実施することは難しい。                                                                            上記手押式楽器は、手に持つって押すか、床において足で踏んで奏鳴させる。手にもつて奏鳴の場合には、１人１個しか奏鳴させることができない。床において足で踏んで奏鳴させる場合には、１人で複数のものを順次奏鳴させることができるが、どうしても足の強い圧力がかかり、強過ぎる音が鳴り音楽的な音にならない。特に幼児においてはその傾向が強い。
【課題を解決するための手段】
【０００４】
手で押すか叩くと鳴る楽器の表面（外面）に雌雄いずれかの面接着シートまたは面接着テープを取付け、壁面に前記楽器の面接着シートまたは面接着テープの雌雄とは反対の雌雄の面接着シートまたは面接着テープを取付け、前記楽器を前記壁面に接着し、着脱自在に固定する。
【０００５】
手で押すか叩くと鳴る楽器の表面に雌雄いずれかの面接着シートまたは面接着テープを取付け、壁面に凹部を設け、その凹部の面に前記楽器の面接着シートまたは面接着テープの雌雄とは反対の雌雄の面接着シートまたは面接着テープを取付け、前記楽器を前記壁面の凹部に嵌合接着し、着脱自在に固定する。
【考案の効果】
【０００６】
この考案に係る楽器取付け壁面は、小規模の壁面にも容易に実施でき、コストが安く、壁面の所望の位置に、または、壁面の凹部に、着脱自在に手押し楽器および／または打楽器を取付けられ、かつ、手で強弱を加減して鳴らすことができ、１人でまたは複数人で楽器を押したり叩いたりして簡単な曲を演奏できる。
また、壁面に取付けた楽器が壁面の装飾にもなる。
【考案を実施するための最良の形態】
【０００７】
壁面１に１または複数の手押し楽器２を着脱自在に取り付ける。
手押し楽器２は、本体３がイーヴィエー（ＥＶＡ）やゴム等の弾性体であって、平面形状が円形、角形、その他の形状で、中に空洞４を設け、空洞４と本体３の側面との間に貫通孔５を設け、その貫通孔５にリード６を嵌挿固定する。本体３の表面は平面、曲面、または、凹凸のある面でもよい。
本体３に音の異なる複数のリード６を取付ければ、和音を奏でることができる。
【０００８】
貫通孔５に嵌挿固定したリード６は、本体３が押されて、空洞４内の空気がリード６を通って外に出るときに奏鳴するものか、または、本体３の押圧が解放されて外気がリードを通って空洞４内に流入する際に奏鳴する構造のいずれでもよいが、複数の貫通孔５を設け、２種類のリード６を嵌挿固定するのが好ましい。
【０００９】
壁面１には、全面的または部分的に、雌雄何れかの面接着シート７または面接着テープを取付け、本体３の表面の全面または一部には、面接着シート７または面接着テープと雌雄反対の面接着シート８または面接着テープを取付け、手押し楽器２を壁面１に着脱自在に取付けることを可能とする。
【００１０】
手押し楽器２の外に、打楽器を用いてもよい。打楽器の表面には面接着シート８または面接着テープを取付け、壁面１に着脱自在に取付け可能とする。
打楽器の表面は平面、曲面、または、凹凸のある面でもよい。
【００１１】
手押し楽器２または／および打楽器は、壁面１に押しつけて接着固定し、剥がして壁面から取り外す。取付けする個数は限定しない。複数取付けて、１人または複数人で押しまたは叩いて簡単な曲を演奏することができる。
【００１２】
壁面に手押し楽器２および打楽器の全部または一部が嵌入できる凹部９を設け、その凹部９の面に面接着シート７または面接着テープを取付け、その凹部９内に楽器を嵌入接着固定すれば、壁面から楽器が突出するのを少なくするか、無くすことが出来る。
この場合にはリード６の口が凹部９の内壁で塞がれないようにする。その為には、手押し楽器２の本体３の側壁に切り欠きを設け、その切り欠きの奥の面と空洞４との間に貫通孔５を設け、その貫通孔５にリード６を嵌挿固定し、楽器を凹部９に嵌入接着固定したときに、リード６の口と凹部９の内壁との間に間隙を設けるか、または、凹部９の輪郭を楽器の輪郭よりも少々大きくし、楽器を凹部９に嵌入する際に、リード６の口と凹部９の内壁との間に間隙を設けるのが好ましい。
【００１３】
楽器の上面に色彩をほどこすか、模様を描くと、楽器を壁面に取付けたときに、壁面の装飾になる。
【図面の簡単な説明】
【００１４】
【図１】手押し楽器を取付けた壁面の説明図である。
【図２】手押し楽器の構造説明図である。
【図３】壁面の凹部に楽器取り付けの説明図である。
【符号の説明】
【００１５】
１  壁面
２  手押し楽器
３  本体
４  空洞
５  貫通孔
６  リード
７  面接着シート
８  面接着シート
９  凹部
【図１】
0003100740.tif 000003
【図２】
0003100740.tif 000004
【図３】
0003100740.tif 000005
(57)【要約】
【課題】荘厳な雰囲気を保持し且つ貴重品を安全に収納し得る仏壇を提供する。
【解決手段】木製下台（１）を備えた木製箱状体（３）の前面に開閉自在の木製扉（５）を設けてなる仏壇において、該木製下台（１）には金庫収納部（７）を設け、該金庫収納部（７）には金庫収納部用木製扉（９）を開閉自在に備えさせ、該金庫収納部（７）内には貴重品を入れるための金庫（１１）を、該金庫収納部用木製扉（９）が閉じているときには該金庫（１１）が外部から見えないように、収納したことを特徴とする仏壇。
【選択図】図１
0003100761.tif 000002
【実用新案登録請求の範囲】
【請求項１】
木製下台を備えた木製箱状体の前面に開閉自在の木製扉を設けてなる仏壇において、該木製下台には金庫収納部を設け、該金庫収納部には金庫収納部用木製扉を開閉自在に備えさせ、該金庫収納部内には貴重品を入れるための金庫を、該金庫収納部用木製扉が閉じているときには該金庫が外部から見えないように、収納したことを特徴とする仏壇。
【考案の詳細な説明】
【技術分野】
【０００１】
本考案は、仏壇に関するものであり、特に金庫を内設した仏壇に係るものである。
【背景技術】
【０００２】
仏壇としては、木製下台を備えた木製箱状体の前面に開閉自在の木製扉を設けてなるものが一般に使用されている。
【０００３】
仏壇内には礼拝の対象としての仏像、位牌等が安置されるのであるが、仏壇内の引出し等にはしばしば現金、有価証券、権利書、貴金属等の貴重品が収納される。
【０００４】
実用新案登録第３０２２４０９号公報は、仏壇機能を備えた金庫状の貴重品収納装置を提供している。即ち、この貴重品収納装置は、前面側が開口する特殊鋼板製の二重の筐体に施錠装置を有する外扉を開閉可能に設け、該筐体の内部には仏具等を飾りつける仏壇部と貴重品の収納部とを形成してなるものである。
【特許文献１】実用新案登録第３０２２４０９号公報
【考案の開示】
【考案が解決しようとする課題】
【０００５】
木製下台を備えた木製箱状体の前面に開閉自在の木製扉を設けてなる仏壇内に貴重品を収納した場合には、該貴重品は盗難のおそれがある。
【０００６】
一方、実用新案登録第３０２２４０９号公報に開示されている金庫状の貴重品収納装置の場合には、内部に収納された貴重品が盗まれるおそれはない。しかるに、該貴重品収納装置は、特殊鋼板製の二重の筐体に施錠装置を有する外扉を開閉可能に設けているものであるため、外観上は特殊鋼板製の金庫そのものであり、礼拝の対象としての荘厳な雰囲気を全く備えていない。
【０００７】
以上の如き状況に鑑み、本考案は、荘厳な雰囲気を保持し且つ貴重品を安全に収納し得る仏壇を提供しようとしてなされたものである。
【課題を解決するための手段】
【０００８】
上記課題を解決するために、本考案は、木製下台を備えた木製箱状体の前面に開閉自在の木製扉を設けてなる仏壇において、該木製下台には金庫収納部を設け、該金庫収納部には金庫収納部用木製扉を開閉自在に備えさせ、該金庫収納部内には貴重品を入れるための金庫を、該金庫収納部用木製扉が閉じているときには該金庫が外部から見えないように、収納したことを特徴とする仏壇を提供するものである。
【０００９】
木製下台の金庫収納部に収納された金庫は、金庫収納部用木製扉が閉じているときには外部からは全く見えないが、金庫収納部用木製扉を開けたときには該金庫は外部から手が届く状態となり、貴重品の出し入れが可能となる。
【考案の効果】
【００１０】
本考案による仏壇は、木製下台の金庫収納部内に金庫を備えており、該金庫内に貴重品を入れたときには、該貴重品が盗まれるおそれはない。しかも、該金庫は木製箱状体の前面に開閉自在の木製扉を設けてなる仏壇における木製下台の金庫収納部内に配設されており、該金庫収納部は金庫収納部用木製扉を備えている。金庫収納部用木製扉が閉じているときには金庫は外部からは全く見えない状態となり、仏壇は外観上、従来の仏壇と同様なものとなる。従って、本考案による仏壇は、貴重品を安全に収納し得る金庫を備えていながら、従来の仏壇と同様に、礼拝の対象としての荘厳な雰囲気を有する。
【考案を実施するための最良の形態】
【００１１】
本考案が適用される仏壇は、従来の仏壇と同様に、木製下台１を備えた木製箱状体３の前面に開閉自在の木製扉５、５を設けてなるものである。
【００１２】
仏壇の木製下台１には金庫収納部（金庫収納スペース）７を設ける。金庫収納部７には金庫収納部用木製扉９を開閉自在に備えさせる。金庫収納部用木製扉９は、引き戸状のものであってもよいが、開き戸状のものであっても差し支えない。
【００１３】
木製下台１と木製箱状体３と木製扉５、５と金庫収納部用木製扉９は、例えば黒檀、紫檀、花梨等の木材により形成される。
【００１４】
金庫収納部７内には貴重品を入れるための金庫１１を収納する。金庫１１は、金庫収納部用木製扉９が閉じているときには該金庫１１が外部から見えないように、金庫収納部７内に収納する。
【００１５】
金庫１１はいかなるものであってもよいが、一例として、テンキー１３により暗証番号を入力することにより解錠されるようにしたものを使用する。因みに、この金庫１１おいては、間違った暗証番号を連続して例えば３回入力したときに、警報手段が作動してベルが鳴るようにしてもよい。
【００１６】
また、金庫１１を木製下台１の金庫収納部７から取り外して移動させようとしたときに、振動感知手段が作動してベルを鳴らすようにしてもよい。
【図面の簡単な説明】
【００１７】
【図１】本考案による仏壇の一例を示す正面図である。
【図２】同上仏壇の一部断面側面図である。
【符号の説明】
【００１８】
１  木製下台
３  木製箱状体
５  木製扉
７  金庫収納部
９  金庫収納部用木製扉
１１  金庫
１３  テンキー
【図１】
0003100761.tif 000003
【図２】
0003100761.tif 000004
(57)【要約】      （修正有）【課題】ポリ紐の先が迷うことなく、いつでも引き出せ、即カット出来る効果を狙い、ネットに紐引き出し口を付け、口の外側に小刃を埋め込むことで可能になり、又何処へでも吊り下げられて場所も取らないものを提供する。【解決手段】袋状のネットの一端にプラスチックでひも取りだし口を付ける。丸型（角型でもよい）の管状のものをとりつける為に、ネットを管の内側から反転させ、外側に小刃を埋め込んだ口を被せ密着させる。小刃は５ｍｍもあれば良いが、必ず斜めに埋め込むことでカットがスムースに出来、使い勝手も良い形となる。袋状ネットは紐玉が２ケストック出来るほどの長さがベストである。紐玉の入れ口は吊るされる口になるが、従来の駅売り蜜柑の釣り口の様な形で解決できる。【選択図】図３
0003100728.tif 000002
【実用新案登録請求の範囲】
【請求項１】
ポリ紐を引き出し，即カット可能な引き出し口に小刃を付けた吊り下げネットにおいて小刃を斜めに埋め込むことで，使い勝手を良好にした吊り下げネット．
【考案の詳細な説明】
【技術の分野】
【０００１】ポリ紐の荷造り用紐玉をストックし，紐を引き出して使う，紐玉入れに関する物である．
【背景技術】
【０００２】紐玉を入れる網袋や箱に紐を切る物を側に置く工夫のされた状態の紐入れ袋，又は箱等はあるが，紐先が迷ったり，刃や鋏等も迷い，見当たらなくなる頻度も高い．
【考案の開示】
【考案が解決しようとする課題】
【０００３】袋上ネットに小刃を付けた紐引き出し口を付け，引き出せば即切れるようにする．
【課題を解決するための手段】
【０００４】袋状のネットに紐を引き出す為の管状の口を付ける．口は丸でも角でも良い．図１の様に口とする管の内側から，ネットを反転させ，図２の様に外側の口をセットし密着させる．外側の管（口）には小刃をカバーする突起を付ける．刃の長さは５ｍｍ程で良いが必ず斜めに埋め込むことでスムーズに切れる．
【考案の効果】
【０００５】本考案のポリ紐玉入れカッター付き吊り下げネットは，紐を引き出せば切る為の器具が不要で，小刃で即カット出来てとても便利で，ネットに入っているので転がったり，紐先が迷ったりせず，吊り下げられ，収納状態も良い．
【考案を実施するための最良の形態】
【０００６】袋状ネットは紐玉が２ケストック出来る長さと吊り下げるための余裕をつける．
紐引き出し口の材質としてはプラスチックで，管の直径は１〜２ｃｍ，長さは２〜３ｃｍ位が良い．外側に被せセットする管には，図２の様に突起をつけ，刃の危険防止の役割と紐を切る際の溝となる．
外側の管に埋め込む小刃は５〜６ｍｍもあればカット出来るが，必ず刃は斜めに付けることが必須．スムーズにカット出来る．
吊り下げる法は，従来の駅売りみかんの様な形で解決できる．
【産業上の利用可能性】
【０００７】リサイクルの古紙，ダンボール等の結束に不可欠のポリ紐の便利，使い勝手の良さ，収納状態も良い．
【図面の簡単な説明】
【００１１】
【図１】内側の管にネットを内側から反転させる．
【図２】小刃の付いた外側の管をセット密着．ａ）内外をセットした引き出し口の横からの図．ｂ）引き出し口の側からの図
【図３】全体のイメージ図
【符号の説明】
１  袋状ネット
２  内側の管（口）
３  外側の管（口）
４  刃
５  吊り手
【図１】
0003100728.tif 000003
【図２】
0003100728.tif 000004
【図３】
0003100728.tif 000005
(57)【要約】
【課題】      半球状の容器に鋼球を入れグリーンの傾斜角を鋼球の静止位置で読み取る装置において、鋼球の収斂時間短縮が実用使用の課題であった。
【解決手段】      本考案は半球容器底面の中央周辺部から外周にかけて微小突起を分散させ、隣接する突起間は鋼球が自由に往来できるが鋼球の直線的動きに制約を加え、傾斜角の測定精度に大きな影響を与えずに収斂時間を大幅に短縮している。
【選択図】      図２
0003100725.tif 000002
【実用新案登録請求の範囲】
【請求項１】
底の浅い球面容器に鋼球を入れて、前記球面容器の傾き角と方位を前記鋼球の静止位置で読取る装置において、球面容器内底面の中央付近を除く周辺部に複数の微小突起を設け、隣接する突起間は少なくとも鋼球が非接触で通過できることを特徴としたグリーンスロープセンサー。
【請求項２】
球面容器の最外周側壁に少なくとも１箇所の凹部もしくは凸部を設けた事を特徴とする請求項１記載のグリーンスロープセンサー。
【考案の詳細な説明】
【技術分野】
【０００１】      本考案は目測では判別しにくい僅かな傾きを検出するセンサーで、例えばゴルフのグリーン傾斜角を簡単に読み取とれる機器である。
【背景技術】
【０００２】      従来の簡便な傾斜判別器なるものは、密閉された容器内に水溶液と小さな空気泡を入れて、この空気泡が容器中心からずれる量で容器が傾いているかを判別するものであった。
また特開２００１−２８６５９０や実願２００３−３９３５で記載されている様に底の浅い球面容器内に小球を入れ、容器の傾きと方向を小球の静止位置で読取る方法がある。
【考案の開示】
【考案が解決しようとする課題】
【０００３】      従来の水準器や特開２００１−２８６５９０で示す方法では、いかなる温度環境下でも正確に傾き角を読取る事は困難であった。実願２００３−３９３５は温度変化に関係なく正確に傾斜角を読み取れる構造になっているが、鋼球の動きが収斂して静止するまでの時間が長かった。
【課題を解決するための手段】
【０００４】      本考案は実願２００３−３９３５が有する課題を解決するもので、鋼球の運動には２通りのパターンが存在し、１つには容器底面上を自由運動し徐々に収斂する場合と、２つには容器外壁を暫く周回運動した後に球面領域に降りて来て自由転動後収斂する場合である。後者の場合は前者の最大２倍程の収斂時間を要していた。
球面容器内の外壁に沿った鋼球の周回運動を止めるために、突部もしくは穴を外周側壁に数箇所設ける。また球面領域内の収斂時間を短縮するために、鋼球の転がり抵抗となる微小突起を設ける。
【考案の効果】
【０００５】      ゴルフのプレー中にグリーンの傾きを読取る場合はスピードが要求される。本考案品はグリーン面に置いた時に転がる鋼球の動きを素早く制止し、グリーンの傾き角を精度良く読取ることが出きる。
【考案を実施するための最良の形態】
【０００６】      傾斜角を精度良く読取るためには、球面容器内の転がり面は曲率半径は一定で且つ平滑でなければならない。しかしこのままでは鋼球の収斂時間が長くなるため、鋼球が持つ高運動エネルギーを積極的に消失させる必要がある。
【実施例１】
【０００７】      図１は本考案のＡ−Ａ’断面図をしめしており、球面容器の外周側壁に突部を設けて鋼球の高運動エネルギー状態を素早く低位に移行させるものである。球面領域で鋼球が収斂する時間は従来と変わりは無いが、前述した収斂モード２の異常に長いケースは回避でき、しかもコスト的に安くあがる。
【実施例２】
【０００８】      図２は球面中央部分を避けて傾斜角約２度前後から外周に向けて、先端を丸くした高さ０．２ｍｍ以下の微小突起を分散させ、鋼球が微小突起に衝突することで運動エネルギーを部分的に消失させ、収斂時間を大幅に短縮するものである。この微小突起の隣接する距離Ｄは鋼球３が自由に往来できるスペースを有している。
【実施例３】
【０００９】      図３は実施例２を更に発展させるものとして微小突起を球面容器の全底面に分散させるが、その先端形状は概ねＲ０．１の球形で容器中心から最外周にかけて高さＨを０〜約０．２ｍｍまで段階的に変えている。
【産業上の利用可能性】
【００１０】      傾斜角と方位を精度良く読取ることができるため、例えば家屋等の建築物や土木工事における傾きを測定するのに便利である。
【図面の簡単な説明】
【００１１】
【図１】  グリーンスロープセンサーの平面図
【図２】  球面容器底面の微小突起分布図
【図３】  底面の微小突起高さの分布図
【符号の説明】
【００１２】  １    球面容器
２    同心円リング（傾斜角線）
３    鋼球
４    カバー
５    ケース
６    ビス
７    外周側壁
８    突部
９    微小突起
Ｄ    隣接する微小突起の間隔
Ｈ    微小突起の高さ
【図１】
0003100725.tif 000003
【図２】
0003100725.tif 000004
【図３】
0003100725.tif 000005
(57)【要約】      （修正有）【課題】手袋の指の間から水が漏れて、多量の水を掻くことができなかった。【解決手段】手袋１の指の間に水掻き２を取り付け、遊泳時に指の間からの水漏れを減らして多量の水掻きを可能とした。【選択図】図１
0003100726.tif 000002
【実用新案登録請求の範囲】
【請求項１】
手袋の指の間に水掻きを取り付けたもの。
【考案の詳細な説明】
【技術分野】
【０００１】本考案は、遊泳時手袋で多量の水を掻くために、手袋に水掻きをとりつけたものである。
【背景技術】
【０００２】従来は、水掻き付き手袋はなかった。
【考案の開示】
【考案が解決しようとする課題】
【０００３】遊泳時、指の間から水が漏れて、多量の水を掻くことができなかった。
【課題を解決するための手段】
【０００４】手袋本体１に水掻き２をとりつける。
【考案の効果】
【０００５】手袋の間の、水掻きの効果で水の漏れが減り、多量の水を掻くことができる。
【図面の簡単な説明】
【図１】水掻き付き手袋を示した平面図である。
【符号の説明】
１  手袋
２  水掻き
【図１】
0003100726.tif 000003